(57)【要約】【課題】情報処理装置に自身のアドレスが把握されていない場合でも、自身の設定情報を適切に変更することが可能な通信端末を提供する。【解決手段】ビーコン端末１００は、低指向性の電磁波を利用してセントラルユニット（ＣＵ）２００と第１の通信を行う無線通信部１３と、高指向性の電磁波を利用してＣＵと第２の通信を行う赤外線通信部２０と、自身の設定情報を格納するＥＥＰＲＯＭ１４と、ＣＵから赤外線通信部を介してペアリング情報の要求を受信した場合に、赤外線通信部を介してペアリング情報をＣＵに送信し、ＣＵから無線通信部を介して第１の通信の要求を受信した場合に、無線通信部を介してＣＵと接続し、無線通信部を介してＣＵから受信した設定情報でＥＥＰＲＯＭに格納された設定情報を更新するマイコン１１とを備える。【選択図】図１
2019041186.tif 000002
【特許請求の範囲】
【請求項１】
低指向性の電磁波を利用して情報処理装置と第１の通信を行う第１通信手段と、
高指向性の電磁波を利用して前記情報処理装置と第２の通信を行う第２通信手段と、
自身の設定情報を格納する格納手段と、
前記情報処理装置から前記第２通信手段を介して自身との接続要求を受信した場合に、前記第２通信手段を介して前記第１の通信に必要な情報を前記情報処理装置に送信し、前記情報処理装置から前記第１通信手段を介して前記第１の通信の要求を受信した場合に、前記第１通信手段を介して前記情報処理装置と接続し、前記第１通信手段を介して前記情報処理装置から受信した設定情報で前記格納手段に格納された設定情報を更新する制御手段と
を備えることを特徴とする通信端末。
【請求項２】
前記格納手段は、前記第１の通信を行うために必要な通信確立情報を更に格納し、
前記制御手段は、前記情報処理装置から接続要求を受信した場合に前記通信確立情報を前記第２通信手段を介して前記情報処理装置に送信することを特徴とする請求項１に記載の通信端末。
【請求項３】
光を照射する照射手段をさらに備え、
前記制御手段は、前記情報処理装置からの接続要求を受信した場合に、光を照射するように前記照射手段を制御することを特徴とする請求項１又は２に記載の通信端末。
【請求項４】
前記制御手段は、前記第１の通信に必要な情報が重畳された光を照射するように前記照射手段を制御することを特徴とする請求項３に記載の通信端末。
【請求項５】
通信端末への接続要求を入力する入力手段と、
前記通信端末の書き換え用の設定情報を格納する格納手段と、
低指向性の電磁波を利用して前記通信端末と第１の通信を行う第１通信手段と、
高指向性の電磁波を利用して前記通信端末と第２の通信を行う第２通信手段と、
前記通信端末への接続要求が入力された場合に、前記第２通信手段を介して前記第１の通信を行うために必要な通信確立情報を前記通信端末に要求し、前記第２通信手段を介して前記通信確立情報を前記通信端末から受信し、前記通信確立情報を使って前記第１通信手段を介して情報処理装置と接続し、前記第１通信手段を介して前記通信端末の書き換え用の設定情報を前記通信端末に送信する制御手段と
を備えることを特徴とする情報処理装置。
【請求項６】
通信端末と情報処理装置とを備える通信システムであって、
前記通信端末は、
低指向性の電磁波を利用して情報処理装置と第１の通信を行う第１通信手段と、
高指向性の電磁波を利用して前記情報処理装置と第２の通信を行う第２通信手段と、
前記通信端末の設定情報と、前記第１の通信を行うために必要な通信確立情報とを格納する第１格納手段と、
前記情報処理装置から前記第２通信手段を介して前記通信確立情報の要求を受信した場合に、前記第２通信手段を介して前記通信確立情報を前記情報処理装置に送信し、前記情報処理装置から前記第１通信手段を介して前記第１の通信の要求を受信した場合に、前記第１通信手段を介して前記情報処理装置と接続し、前記第１通信手段を介して前記情報処理装置から書き換え用の設定情報を受信した場合に、当該書き換え用の設定情報で前記第１格納手段に格納された設定情報を更新する第１制御手段とを備え、
前記情報処理装置は、
前記通信端末への接続要求を入力する入力手段と、
前記通信端末の書き換え用の設定情報を格納する第２格納手段と、
前記低指向性の電磁波を利用して前記通信端末と前記第１の通信を行う第３通信手段と、
前記高指向性の電磁波を利用して前記通信端末と前記第２の通信を行う第４通信手段と、
前記通信端末への接続要求が入力された場合に、前記第４通信手段を介して前記通信確立情報を前記通信端末に要求し、前記第４通信手段を介して前記通信確立情報を前記通信端末から受信し、前記通信確立情報を使って前記第３通信手段を介して前記情報処理装置と接続し、前記第３通信手段を介して前記通信端末の書き換え用の設定情報を前記通信端末に送信する第２制御手段と
を備えることを特徴とする通信システム。
【発明の詳細な説明】
【技術分野】
【０００１】
本発明は、通信端末、情報処理装置及び通信システムに関する。
【背景技術】
【０００２】
従来より、赤外線通信機能を有し、赤外線到達範囲内に移動してきた携帯端末に自装置の設置場所を示す情報を送信する位置情報送信装置が知られている（例えば、特許文献１参照）。
【０００３】
また、接続元の機器が接続先の機器に対して物理的な刺激（衝撃）を与えて、その刺激により発生した音に基づいて接続相手を特定する通信システムが知られている（例えば、特許文献２参照）。
【０００４】
また、ＰＣやスマートホンのような情報処理装置を使用して、無線経由でビーコン端末の設定を変更することが知られている。
【先行技術文献】
【特許文献】
【０００５】
【特許文献１】特開平１１−２５２１２１号公報
【特許文献２】特開２０１４−６８０７７号公報
【発明の概要】
【発明が解決しようとする課題】
【０００６】
無線経由でビーコン端末の設定を変更する場合、複数のビーコン端末の中から設定変更対象のビーコン端末を正しく選択する必要がある。ビーコン端末を選択する際の情報としてビーコン端末のアドレス情報を利用できるが、ビーコン端末のアドレスが当該ビーコン端末の筐体に表示されていない場合、利用者はビーコン端末が送信するアドレス情報とビーコン端末との対応づけができない。
【０００７】
ビーコン端末を特定するために、ＲＳＳＩ（Received Signal Strength Indication）の値が最も大きいビーコン端末（即ち、最も近くにあるビーコン端末）を設定変更対象のビーコン端末とみなす方法も存在する。この方法を利用するためには、複数のビーコン端末同士を離れた位置にそれぞれ設置し、設置場所に応じてＲＳＳＩの値に差異を設ける必要がある。しかしながら、周囲の電波環境やビーコン端末からの電波を受信する情報処理装置のアンテナ特性等でＲＳＳＩの値にばらつきが生じる可能性があり、必ずしもビーコン端末と情報処理装置との距離とＲＳＳＩの値とに相関関係が成立せず、設定変更対象のビーコン端末を判別しにくいという問題がある。
【０００８】
本発明の第１の目的は、情報処理装置に自身のアドレスが把握されていない場合でも、自身の設定情報を適切に変更することが可能な通信端末を提供することにある。本発明の第２の目的は、通信端末のアドレスを把握していない場合でも、通信端末の設定情報を変更することが可能な情報処理装置及び通信システムを提供することにある。
【課題を解決するための手段】
【０００９】
上記目的を達成するため、明細書に開示された通信端末は、低指向性の電磁波を利用して情報処理装置と第１の通信を行う第１通信手段と、高指向性の電磁波を利用して前記情報処理装置と第２の通信を行う第２通信手段と、自身の設定情報を格納する格納手段と、前記情報処理装置から前記第２通信手段を介して自身との接続要求を受信した場合に、前記第２通信手段を介して前記第１の通信に必要な情報を前記情報処理装置に送信し、前記情報処理装置から前記第１通信手段を介して前記第１の通信の要求を受信した場合に、前記第１通信手段を介して前記情報処理装置と接続し、前記第１通信手段を介して前記情報処理装置から受信した設定情報で前記格納手段に格納された設定情報を更新する制御手段と
を備えることを特徴とする。
【００１０】
上記目的を達成するため、明細書に開示された情報処理装置は、通信端末への接続要求を入力する入力手段と、前記通信端末の書き換え用の設定情報を格納する格納手段と、低指向性の電磁波を利用して前記通信端末と第１の通信を行う第１通信手段と、高指向性の電磁波を利用して前記通信端末と第２の通信を行う第２通信手段と、前記通信端末への接続要求が入力された場合に、前記第２通信手段を介して前記第１の通信を行うために必要な通信確立情報を前記通信端末に要求し、前記第２通信手段を介して前記通信確立情報を前記通信端末から受信し、前記通信確立情報を使って前記第１通信手段を介して情報処理装置と接続し、前記第１通信手段を介して前記通信端末の書き換え用の設定情報を前記通信端末に送信する制御手段とを備えることを特徴とする。
【００１１】
上記目的を達成するため、明細書に開示された通信システムは、通信端末と情報処理装置とを備える通信システムであって、前記通信端末は、低指向性の電磁波を利用して情報処理装置と第１の通信を行う第１通信手段と、高指向性の電磁波を利用して前記情報処理装置と第２の通信を行う第２通信手段と、前記通信端末の設定情報と、前記第１の通信を行うために必要な通信確立情報とを格納する第１格納手段と、前記情報処理装置から前記第２通信手段を介して前記通信確立情報の要求を受信した場合に、前記第２通信手段を介して前記通信確立情報を前記情報処理装置に送信し、前記情報処理装置から前記第１通信手段を介して前記第１の通信の要求を受信した場合に、前記第１通信手段を介して前記情報処理装置と接続し、前記第１通信手段を介して前記情報処理装置から書き換え用の設定情報を受信した場合に、当該書き換え用の設定情報で前記第１格納手段に格納された設定情報を更新する第１制御手段とを備え、前記情報処理装置は、前記通信端末への接続要求を入力する入力手段と、前記通信端末の書き換え用の設定情報を格納する第２格納手段と、前記低指向性の電磁波を利用して前記通信端末と前記第１の通信を行う第３通信手段と、前記高指向性の電磁波を利用して前記通信端末と前記第２の通信を行う第４通信手段と、前記通信端末への接続要求が入力された場合に、前記第４通信手段を介して前記通信確立情報を前記通信端末に要求し、前記第４通信手段を介して前記通信確立情報を前記通信端末から受信し、前記通信確立情報を使って前記第３通信手段を介して前記情報処理装置と接続し、前記第３通信手段を介して前記通信端末の書き換え用の設定情報を前記通信端末に送信する第２制御手段とを備えることを特徴とする。
【発明の効果】
【００１２】
本発明によれば、情報処理装置に通信装置のアドレスが把握されていない場合でも、通信装置の設定情報を適切に変更することができる。
【図面の簡単な説明】
【００１３】
【図１】第１の実施の形態に係る通信システムの構成図である。
【図２】アドバタイズデータのフォーマットを示す図である。
【図３】ビーコン端末及びセントラルユニットの動作を示すフローチャートである。
【図４】（Ａ）は、セントラルユニットからビーコン端末に送られるデータのフォーマットを示す図である。（Ｂ）は、ビーコン端末からセントラルユニットに送られるペアリング情報のフォーマットを示す図である。
【図５】第１変形例に係る通信システムの構成図である。
【図６】第２変形例に係る通信システムの構成図である。
【図７】ビーコン端末の変形例を示す図である。
【図８】第２の実施の形態に係る通信システムの構成図である。
【図９】ビーコン端末及びセントラルユニットの動作の変形例を示すフローチャートである。
【発明を実施するための形態】
【００１４】
以下、図面を参照しながら本発明の実施の形態を説明する。
【００１５】
（第１の実施の形態）
図１は、第１の実施の形態に係る通信システムの構成図である。図１の通信システム１は、通信端末としてのビーコン端末１００と、ユーザが持ち運ぶことができる情報処理装置としてのセントラルユニット２００とを備えている。ビーコン端末１００は、例えば施設内に設置されている。尚、通信システム１は、複数のビーコン端末１００を備えていてもよい。
【００１６】
施設内に設置されたビーコン端末１００はブロードキャスタとしてアドバタイズデータを送信し、セントラルユニット２００はアドバタイズデータをスキャンすることでビーコン端末１００の存在を確認することができる。
【００１７】
ビーコン端末１００は、アドバタイズデータを送信するビーコン部１０と、赤外線通信を行う第２通信手段としての赤外線通信部２０と、ビーコン端末１００の位置をユーザに知らせるための光を発する照射手段としての発光部３０と、ビーコン部１０、赤外線通信部２０及び発光部３０に電力を供給する電源部４０とを備えている。
【００１８】
ビーコン部１０は、制御手段としてのマイコン１１と、クロック１２と、第１通信手段としての無線通信部１３と、格納手段としてのＥＥＰＲＯＭ（Electrically Erasable Programmable Read-Only Memory）１４と、アンテナ１５とを備えている。クロック１２、無線通信部１３及びＥＥＰＲＯＭ１４はマイコン１１に接続されており、アンテナ１５は無線通信部１３に接続されている。
【００１９】
赤外線通信部２０は、ＩｒＤＡ（Infrared Data Association）モジュール２１とＩｒＤＡコントローラ２２とを備えている。ＩｒＤＡモジュール２１はＩｒＤＡコントローラ２２に接続されており、ＩｒＤＡコントローラ２２はマイコン１１に接続されている。
【００２０】
発光部３０は、半導体レーザ３１と、レギュレータ３２とを備えている。半導体レーザ３１はレギュレータ３２に接続されており、レギュレータ３２はマイコン１１に接続されている。発光部３０は、半導体レーザ３１の代わりに、ＬＥＤ（Light Emitting Diode）又は電球などを備えていてもよい。
【００２１】
電源部４０は、ＡＣ−ＤＣアダプタ４１と電池４２とを備えている。ＡＣ−ＤＣアダプタ４１及び電池４２のいずれか一方よりビーコン部１０、赤外線通信部２０及び発光部３０に電力を供給する。
【００２２】
マイコン１１は、ビーコン部１０の全体の動作、ＩｒＤＡモジュール２１の赤外線通信及び半導体レーザ３１のオン・オフを制御する。また、マイコン１１は、セントラルユニット２００からの制御に従って、通常運用モード又は設定変更モードのいずれか一方を自身に設定する。通常運用モードは、ビーコン端末１００が予め定められたアドバタイズデータ（例えばクーポンの情報を含むアドバタイズデータ）を定期的に発信するモードである。設定変更モードは、セントラルユニット２００とデータの送受信が可能なモードであり、セントラルユニット２００からの制御に従って、アドバタイズデータの設定（即ちアドバタイズデータの内容又は送信出力など）を変更するモードである。
【００２３】
図２は、アドバタイズデータのフォーマットを示す図である。本実施の形態で使用されるアドバタイズデータはBluetooth（登録商標）Low Energy（ＢＬＥ）規格に準拠する。アドバタイズデータの「AD structure 2」のデータ部（「ＤＡＴＡ」）には、設定変更モードの場合にはオールFのデータ列が含まれ、通常運用モードの場合にはオールF以外のデータ列が含まれる。このため、セントラルユニット２００のＣＰＵ２０１は、データ部に含まれるデータ列に基づいて、アドバタイズデータをフィルタリングすることができる。アドバタイズデータのその他の構成はＢＬＥ規格に規定されているので、その説明は省略する。
【００２４】
図１に戻り、無線通信部１３はＢＬＥ規格に対応した無線通信を行う。クロック１２はクロック信号を生成し、マイコン１１に供給する。ＥＥＰＲＯＭ１４は、ビーコン端末１００の設定情報、各種のデータ及びプログラムなどを格納する。
【００２５】
ＩｒＤＡモジュール２１は、セントラルユニット２００と赤外線通信を行う。ＩｒＤＡコントローラ２２は、セントラルユニット２００との間で送受信されるデータ（後述するペアリング情報等）を暗号化又は復号する。
【００２６】
半導体レーザ３１は、マイコン１１の制御によってレーザ光を発する。例えば、ビーコン端末１００が施設の天井に設置されている場合には、半導体レーザ３１は床に向けてレーザ光を発する。レギュレータ３２は、レーザ出力を一定にするために半導体レーザ３１へ定電圧を供給する。
【００２７】
セントラルユニット２００は、ビーコン端末１００の設定情報を変更するために使用され、例えばスマートホン、タブレット又はノートパソコンのような可搬型の情報通信端末を使うことも可能である。
【００２８】
セントラルユニット２００は、制御手段としてのＣＰＵ２０１と、格納手段としてのメモリ２０２と、入力手段としての操作部２０３と、表示部２０４と、第２無線通信手段としての赤外線通信部２０５と、第１無線通信手段としての無線通信部２０６とを備えている。ＣＰＵ２０１は、メモリ２０２、操作部２０３、表示部２０４、赤外線通信部２０５及び無線通信部２０６に接続されている。
【００２９】
ＣＰＵ２０１は、セントラルユニット２００の全体動作を制御する。メモリ２０２は、各種のデータ及びビーコン端末１００の設定情報を格納している。操作部２０３は、タッチパネル又はキーボードなどであり、ビーコン端末１００の設定情報の書き換え指示を入力する際に使用される。表示部２０４は、ディスプレイであり、ビーコン端末１００の設定情報を入力するための設定画面などを表示する。赤外線通信部２０５は、ＩｒＤＡモジュール２１と赤外線通信を行う。無線通信部２０６は、ＢＬＥ規格に準じて無線通信部１３と無線通信を行う。
【００３０】
図３は、ビーコン端末１００及びセントラルユニット２００の動作を示すフローチャートである。図４（Ａ）は、セントラルユニット２００からビーコン端末１００にデータのフォーマットを示す図であり、図４（Ｂ）は、ビーコン端末１００からセントラルユニット２００にペアリング情報のフォーマットを示す図である。
【００３１】
まず、ビーコン端末１００のマイコン１１は、通常運用モードに設定され、セントラルユニット２００からのレーザ光照射の要求を待つ（Ｓ１）。
【００３２】
ユーザはセントラルユニット２００を持って、設定変更対象であるビーコン端末１００に近づく。ユーザによる所定の操作に応じて、赤外線通信部２０５がレーザ光照射要求を赤外線通信でビーコン端末１００に送信する（Ｓ２１）。ここで、赤外線通信部２０５は、ＩｒＤＡの通信プロトコルに従って、図４（Ａ）に示すように、プリアンブル、シンクワード及びヘッダと共に「データ」領域にレーザ光照射要求（0x01）を付してビーコン端末１００に送信する。
【００３３】
マイコン１１は、赤外線通信部２０を介してレーザ光照射要求をセントラルユニット２００から受信したか否かを判別する（Ｓ２）。レーザ光照射要求を受信していない場合には（Ｓ２でＮＯ）、処理はＳ１に戻る。一方、レーザ光照射の要求をセントラルユニット２００から受信した場合には（Ｓ２でＹＥＳ）、マイコン１１はビーコン端末１００を通常運用モードから設定変更モードに変更する（Ｓ３）。
【００３４】
マイコン１１は、設定変更モードで無線通信部１３を介してアドバタイズデータを数秒間送信する（Ｓ４）。このとき、アドバタイズデータの「AD structure 2」のデータ部にはオールFのデータ列が含まれている。これにより、セントラルユニット２００は、設定変更モードに設定されたビーコン端末１００の存在を把握することができる。その後、半導体レーザ３１は、マイコン１１の制御によってレーザ光を点灯する（Ｓ５）。ユーザは、レーザ光の点灯によって設定変更対象のビーコン端末１００の設置場所を確認することができる。
【００３５】
次に、ＣＰＵ２０１は、操作部２０３から所定のジェスチャ入力や所定のキースイッチの押下などの所定の入力があったか否かを判別する（Ｓ２２）。ここでは、ＣＰＵ２０１は、操作部２０３からビーコン端末１００への接続要求があるか否かを判別している。操作部２０３からの所定の入力が無い場合には（Ｓ２２でＮＯ）、当該判別を繰り返す。操作部２０３から所定の入力がある場合には（Ｓ２２でＹＥＳ）、ＣＰＵ２０１は、赤外線通信部２０５を介してペアリング情報をビーコン端末１００に要求する（Ｓ２３）。ここで、赤外線通信部２０５は、ＩｒＤＡの通信プロトコルに従って、図４（Ａ）に示すフォーマットの「データ」領域にペアリング情報の要求（0x02）を付してビーコン端末１００に送信する。
【００３６】
Ｓ２３のペアリング情報の要求に赤外線通信を使用する理由は、指向性の高い赤外線通信では、設定情報の書き換え対象のビーコン端末１００にだけペアリング情報の要求を送信することができるためである。ＣＰＵ２０１がペアリング情報の要求に指向性の低いＢＬＥ通信を使用すると、所望のビーコン端末１００以外の周辺のビーコン端末にもペアリング情報の要求が送信されてしまい、意図しないビーコン端末の設定情報の書き換えが行われるおそれがある。
【００３７】
マイコン１１は、ペアリング情報の要求に応じて、赤外線通信部２０を介してペアリング情報をセントラルユニット２００に送信する（Ｓ６）。ペアリング情報は、図４（Ｂ）に示すように、ビーコン端末に割り当てられている６byteのアドレス及び１byteのアドレスタイプを必須情報として含み、さらに任意情報としてペアリング情報の要求の受信時にマイコン１１で自動生成されたパスキー情報（暗証コード）を含む。ペアリング情報には、任意情報としてさらに他の情報が含まれていてもよい。ペアリング情報にパスキー情報が含まれている場合、パスキー情報がセントラルユニット２００に通知され、セントラルユニット２００はパスキー情報を使ってビーコン端末１００とＢＬＥによるペアリングを行う。パスキー情報を使用することで通信セキュリティが向上する。
【００３８】
ＣＰＵ２０１は、赤外線通信部２０５を介してペアリング情報をビーコン端末１００から受信する（Ｓ２４）。Ｓ６，Ｓ２４のペアリング情報の送受信に赤外線通信を使用する理由は、Ｓ２３の場合と同様に、指向性の低いＢＬＥ通信ではなく、指向性の高い赤外線通信を使うことで、書き換え対象のビーコン端末１００がセントラルユニット２００にペアリング情報を確実に送信することができるためである。
【００３９】
次いで、ＣＰＵ２０１は、Ｓ２４で取得したペアリング情報に基づいて、無線通信部２０６を介してビーコン端末１００にＢＬＥ通信のペアリングを要求する（Ｓ２５）。マイコン１１は、無線通信部１３を介してセントラルユニット２００からＢＬＥ通信のペアリング要求を受信したか否かを判別する（Ｓ７）。マイコン１１がペアリング要求を受信していない場合には（Ｓ７でＮＯ）、マイコン１１は半導体レーザ３１を消灯し（Ｓ８）、処理はＳ１に戻る。マイコン１１がＢＬＥ通信のペアリング要求を受信した場合には（Ｓ７でＹＥＳ）、ＣＰＵ２０１及びマイコン１１はＢＬＥ通信のペアリングを確立し、互いに接続する（Ｓ９、Ｓ１０）。次に、マイコン１１は、半導体レーザ３１を点滅する（Ｓ１１）。これにより、ユーザはＢＬＥ通信の接続完了を確認することができる。尚、半導体レーザ３１の代わりにＬＥＤが使用されてもよい。
【００４０】
ＣＰＵ２０１は、無線通信部２０６を介して書き換え用の設定情報をビーコン端末１００に送信する（Ｓ２６）。マイコン１１は、無線通信部１３を介して設定情報をセントラルユニット２００から受信し、自身の設定情報を更新する（Ｓ１２）。
【００４１】
Ｓ１２，Ｓ２６の設定情報の送受信にＢＬＥ通信を使う理由は、上述したように、ＢＬＥ通信ではパスキー情報を使用することで通信セキュリティを向上させることができるからである。また、ＢＬＥ通信は相対的に指向性が低いため、指向性の高い赤外線通信を用いた場合と異なり、ＣＰＵ２０１がペアリング情報を受信してマイコン１１がデータ書き換えを完了するまでの間、通信が途切れないようにセントラルユニット２００をビーコン端末１００の方向に向け続けなくてよいからである。
【００４２】
その後、ＣＰＵ２０１は、無線通信部２０６を介してＢＬＥ通信の切断要求をビーコン端末１００に送信し（Ｓ２７）、ＢＬＥ通信が切断されると本処理を終了する。一方、マイコン１１は、セントラルユニット２００からＢＬＥ通信の切断要求を受信すると、ＢＬＥ通信を切断するように無線通信部１３を制御し（Ｓ１３）、Ｓ８の処理に戻る。
【００４３】
図５は、第１変形例に係る通信システムの構成図である。
【００４４】
図５の通信システム１Ａでは、ビーコン端末１００は、赤外線通信部２０の代わりに近距離無線通信部（NFC：Near Field radio Communication）２３を備えている。近距離無線通信部２３はアンテナ２４を備えており、アンテナ２４はマイコン１１に接続されている。また、図５のセントラルユニット２００は、赤外線通信部２０５の代わりに、近距離無線通信部２０７を備えている。図５のビーコン端末１００及びセントラルユニット２００のその他の構成は図１のビーコン端末１００及びセントラルユニット２００の対応する構成と同一であるので、その説明は省略する。
【００４５】
上述した赤外線通信部２０が実行した処理は近距離無線通信部２３が実行する。また、赤外線通信部２０５が実行した処理は近距離無線通信部２０７が実行する。これにより、赤外線通信に代えて近距離無線通信を利用することができる。
【００４６】
図６は、第２変形例に係る通信システムの構成図である。
【００４７】
図６の通信システム１Ｂでは、ビーコン端末１００は、赤外線通信部２０の代わりに超音波通信部５０を備えている。超音波通信部５０は、超音波を発信する発信機５１と、超音波を受信する受信機５２と、発信機５１及び受信機５２の切り替えを行う切替器５３と、受信した超音波信号を増幅する増幅器５４と、増幅器５４に接続され、増幅した超音波信号のＡ／Ｄ変換を行うＡ／Ｄ変換器５５と、発信する超音波信号のＤ／Ａ変換を行うＤ／Ａ変換器５６とを備えている。発信機５１、受信機５２、増幅器５４及びＤ／Ａ変換器５６は切替器５３に接続されている。Ａ／Ｄ変換器５５及びＤ／Ａ変換器５６はマイコン１１に接続されている。また、図６のセントラルユニット２００は、赤外線通信部２０５の代わりに超音波通信部２０８を備えている。図６のビーコン端末１００及びセントラルユニット２００のその他の構成は図１のビーコン端末１００及びセントラルユニット２００の対応する構成と同一であるので、その説明は省略する。
【００４８】
上述した赤外線通信部２０が実行した処理は超音波通信部５０が実行する。また、赤外線通信部２０５が実行した処理は超音波通信部２０８が実行する。これにより、赤外線通信に代えて超音波通信を利用することができる。
【００４９】
図７は、ビーコン端末１００の変形例を示す図である。
【００５０】
図７に示すように、ビーコン端末１００は、マイコン１１に接続されたモーションセンサ１６を備えていてもよい。この場合、ビーコン端末１００に振動や衝撃が加えられると、マイコン１１は設定変更モードで無線通信部１３を介してアドバタイズデータを数秒間送信する（図３のＳ４参照）。尚、図５又は図６のビーコン端末１００がモーションセンサ１６を備えていてもよい。
【００５１】
以上説明したように、第１の実施の形態によれば、ペアリング情報の送受信に指向性の高い赤外線通信を使うことで書き換え対象のビーコン端末１００がセントラルユニット２００にペアリング情報を確実に送信し、ＢＬＥ通信で通信セキュリティを向上させて設定情報の書き換えを行う。従って、セントラルユニット２００が書き換え対象のビーコン端末１００のアドレスを把握していない場合でも、ビーコン端末１００の設定情報を適切に変更することができる。
【００５２】
（第２の実施の形態）
図８は、第２の実施の形態に係る通信システムの構成図である。図８の通信システム１Ｃでは、ビーコン端末１００は、発光部３０の代わりに光通信部３０Ａを備えている。光通信部３０Ａは、レーザ光を照射する半導体レーザ３１と、半導体レーザ３１から照射するレーザ光にペアリング情報を重畳するレーザコントローラ３３とを備えている。半導体レーザ３１はレーザコントローラ３３を介してマイコン１１に接続されている。また、図８のセントラルユニット２００は、光通信部３０Ａと光通信を行う光通信部２０９を備えている。光通信部２０９は、半導体レーザ３１から照射されたレーザ光からペアリング情報を取得する。
【００５３】
図８のビーコン端末１００及びセントラルユニット２００のその他の構成は図１のビーコン端末１００及びセントラルユニット２００の対応する構成と同一であるので、その説明は省略する。
【００５４】
図９は、ビーコン端末１００及びセントラルユニット２００の動作の変形例を示すフローチャートである。図３と同一の処理については、その説明は省略する。
【００５５】
Ｓ４でマイコン１１が設定変更モードで無線通信部１３を介してアドバタイズデータを数秒間送信した後、半導体レーザ３１は、マイコン１１の制御によってペアリング情報が重畳されたレーザ光を点灯する（Ｓ３１）。ＣＰＵ２０１は、光通信部２０９で受信したレーザ光からペアリング情報を取得する（Ｓ３２）。その後、ＣＰＵ２０１はＳ２５の処理を行い、マイコン１１はＳ７の処理を行う。
【００５６】
ユーザは、Ｓ３１の半導体レーザ３１の点灯によって設定変更対象のビーコン端末１００の設置場所を確認できる。また、半導体レーザ３１から照射されたレーザ光にはペアリング情報が重畳されているので、ＣＰＵ２０１は、赤外線通信でビーコン端末１００にペアリング情報を要求する必要がなくなる。
【００５７】
以上説明したように、第２の実施の形態によれば、ペアリング情報の送受信に指向性の高い光通信を使うので、所望のセントラルユニット２００以外のセントラルユニットにペアリング情報が送信されることがなく、書き換え対象のビーコン端末１００がセントラルユニット２００にペアリング情報を確実に送信することができる。
【００５８】
尚、本発明は、上述した実施の形態に限定されるものではなく、その要旨を逸脱しない範囲内で種々変形して実施することが可能である。
【符号の説明】
【００５９】
１，１Ａ，１Ｂ，１Ｃ  通信システム
１０  ビーコン部
１１  マイコン
１３，２０６  無線通信部
１４  ＥＥＰＲＯＭ
２０，２０５  赤外線通信部
３０  発光部
４０  電源部
１００  ビーコン端末
２００  セントラルユニット
２０１  ＣＰＵ
２０２  メモリ
２０３  操作部
【図１】
2019041186.tif 000003
【図２】
2019041186.tif 000004
【図３】
2019041186.tif 000005
【図４】
2019041186.tif 000006
【図５】
2019041186.tif 000007
【図６】
2019041186.tif 000008
【図７】
2019041186.tif 000009
【図８】
2019041186.tif 000010
【図９】
2019041186.tif 000011